(57)【要約】【課題】樹木の略全体を無駄なく有効利用することができる樹木処理システムを提供する。【解決手段】再生不可の樹木Ａを樹木仕分け工程２で葉部Ａａ及び枝部Ａｂ、幹部Ａｃに仕分け処理し、樹木Ａの枝部Ａｂ及び幹部Ａｃをチップ製造工程３で粉砕処理してチップ３ａを製造し、樹木仕分け工程２で仕分けられる葉部Ａａ及びチップ製造工程３で製造されるチップ３ａを堆肥製造工程４で堆肥化処理して堆肥４ａを製造し、樹木Ａの幹部Ａｃを炭化物製造工程５で炭化処理して炭化物５ａ（木炭）を製造し、炭化物製造工程５で発生する雰囲気を木酢液製造工程６で処理して木酢液６ａを製造する。【選択図】  図１
2004203636.tif 000002
【特許請求の範囲】
【請求項１】
生育場所から回収される樹木を樹木仕分け工程で葉及び枝、幹に仕分け処理し、
上記樹木仕分け工程で仕分けられた樹木の枝及び幹をチップ製造工程で粉砕処理してチップを製造し、
上記樹木仕分け工程で仕分けられた樹木の葉及びチップ製造工程で製造されたチップを堆肥製造工程で堆肥化処理して堆肥を製造し、
上記樹木仕分け工程で仕分けられた樹木の幹を炭化物製造工程で炭化処理して炭化物を製造し、
上記炭化物製造工程において発生する雰囲気を木酢液製造工程で冷却処理して木酢液を製造する
樹木処理システム。
【請求項２】
上記チップ及び堆肥、炭化物、木酢液の複数を組み合せる工程を備えた
請求項１記載の樹木処理システム。
【請求項３】
上記木酢液を、上記チップ及び堆肥、炭化物の何れか一つ又は複数に添加する工程を備えた
請求項１又は２記載の樹木処理システム。
【請求項４】
生育場所で生育する樹木が再生可能及び再生不可であるか否かを診断工程で診断して、
上記再生可能と診断された樹木を、上記依頼者に返却する時期が到来するまで樹木生育工程で一時的に預かって育成し、該返却時期が到来した樹木を生育場所に返却すると共に、
上記再生不可と診断された樹木を、該樹木の葉及び枝、幹に樹木利用工程で仕分け処理してチップ及び炭化物、堆肥、木酢液を製造する
樹木処理システム。
【請求項５】
上記再生可能と診断された樹木毎に識別情報を設定すると共に、
上記樹木毎に設定された識別情報と対応して、該樹木に関する情報を生育管理手段で情報管理する
請求項４記載の樹木処理システム。
【発明の詳細な説明】
【０００１】
【発明の属する技術分野】
この発明は、例えば枯死樹木や庭木、剪定材、間伐材、街路樹等の再生不可な樹木を再利用し、再生可能な樹木を育成及び再生する樹木処理システムに関する。
【０００２】
【従来の技術】
従来、上述例の街路樹を伐採したときに発生する廃材は、野焼きで焼却処分するのが一般的であったが、自然環境の保護及び温暖化の防止等の観点から、高温で焼却処理するか、産廃場に埋設しなければならない。また、再生不可な樹木を利用する方法としては、例えば管路内に供給される木材チップを加熱手段により加熱して自然発火させた後、その自然発火した木材チップを冷却手段により冷却して炭化した木炭を製造する特許文献１の木炭製造方法及びその装置がある。
【０００３】
【特許文献１】
特開２００１−１３１５６２号公報。
【０００４】
【発明が解決しようとする課題】
しかし、上述の特許文献１の木炭製造方法は、木材チップを自然発火させるので、例えば二酸化炭素（ＣＯ２）や煙等の有害物質が大量に発生し、大気中に放出されるため、自然環境が損なわれるだけでなく、温暖化の原因となる。且つ、木材チップの焼却施設及び焼却灰の廃棄場所を確保することが難しく、焼却及び廃棄するのに費用が掛かるという問題点を有している。
【０００５】
この発明は上記問題に鑑み、樹木を葉及び枝、幹の部分に仕分け処理して、チップ及び堆肥、炭化物、木酢液を製造することにより、樹木の略全体を無駄なく有効利用することができる。且つ、自然環境を保全し、緑化に寄与することができる樹木処理システムの提供を目的とする。
【０００６】
【課題を解決するための手段】
この発明は、生育場所から回収される樹木を樹木仕分け工程で葉及び枝、幹に仕分け処理し、上記樹木仕分け工程で仕分けられた樹木の枝及び幹をチップ製造工程で粉砕処理してチップを製造し、上記樹木仕分け工程で仕分けられた樹木の葉及びチップ製造工程で製造されたチップを堆肥製造工程で堆肥化処理して堆肥を製造し、上記樹木仕分け工程で仕分けられた樹木の幹を炭化物製造工程で炭化処理して炭化物を製造し、上記炭化物製造工程において発生する雰囲気を木酢液製造工程で冷却処理して木酢液を製造する樹木処理システムであることを特徴とする。
【０００７】
上述の樹木は、例えば枯死樹木や庭木、剪定材、間伐材、街路樹等木で構成することができる。また、樹木仕分け工程は、例えば作業者の目で目視判定して、手作業で仕分け処理する人為的仕分け手段、光学的撮像手段（撮像カメラ）で撮像した画像情報に基づいて機械的に仕分け処理する機械的仕分け手段等の方法で構成することができ、樹木の葉及び枝、幹を人為的作業及び機械的作業により分離・選別して仕分け処理する。また、チップ製造工程は、例えば粉砕機で粉砕するか、破砕機で破砕する等の製造方法で構成することができる。また、堆肥製造工程は、例えば微生物で分解及び自然に腐敗させるか、化学的に処理する等の製造方法で構成することができる。また、炭化物製造工程は、例えば炭焼き釜や炭化炉等に収容された樹木の幹を、ヒーターやバーナー等の加熱手段で燃焼させることなく加熱処理するか、熱風発生手段から供給される高温の熱風で加熱乾燥する等の製造方法で構成することができる。また、木酢液製造工程は、例えば炭化物製造工程で炭化処理するときに発生する雰囲気を冷却手段で冷却するか、蒸留再生手段で蒸留再生及び濾過手段で濾過処理する等の製造方法で構成することができる。
【０００８】
つまり、生育場所から回収される再生不可の樹木を樹木仕分け工程で葉及び枝、幹に仕分け処理し、樹木の枝及び幹をチップ製造工程で粉砕処理してチップを製造し、樹木の葉及び枝及び幹のチップを堆肥製造工程で堆肥化処理して堆肥を製造し、樹木の幹を炭化物製造工程で炭化処理して炭化物（木炭）を製造し、炭化物製造時に発生する雰囲気を木酢液製造工程で冷却処理して木酢液を製造する。
【０００９】
実施の形態として、上記チップ及び堆肥、炭化物、木酢液の複数を組み合せる工程（例えば製造物利用工程）を備えることができる。また、上記木酢液を、上記チップ及び堆肥、炭化物の何れか一つ又は複数に添加する工程（例えば製造物利用工程）を備えることができる。また、生育場所で生育する樹木が再生可能及び再生不可であるか否かを診断工程で診断して、上記再生可能と診断された樹木を、上記依頼者に返却する時期が到来するまで樹木生育工程で一時的に預かって育成し、該返却時期が到来した樹木を生育場所に返却すると共に、上記再生不可と診断された樹木を、該樹木の葉及び枝、幹に樹木利用工程で仕分け処理してチップ及び炭化物、堆肥、木酢液を製造することもできる。また、上記再生可能と診断された樹木毎に識別情報を設定（例えばバーコードや非接触記録装置等の記録媒体）すると共に、上記樹木毎に設定された識別情報と対応して、該樹木に関する情報（例えば樹木の種類や生育場所、生育方法、生育年数、預かり時期、返却時期等）を生育管理手段（例えばパーソナルコンピューターやホストコンピューター、ＣＰＵ及びＲＯＭ、ＲＡＭを備えた制御装置等）で情報管理することもできる。且つ、上述の樹木に関する情報を、例えばキーボードやマウス、スキャナー、入力ペン、マイク等の入力手段で入力することもできる。
【００１０】
【作用及び効果】
この発明によれば、樹木を葉及び枝、幹の部分に仕分け処理して、チップ及び堆肥、炭化物、木酢液を製造するので、樹木の略全体を、例えば水質・土壌の改良、栽培等の様々な用途及び目的に無駄なく有効利用することができると共に、廃棄物が発生しないため、焼却施設及び廃棄場所を確保する必要がなく、廃棄コストの削減を図ることができる。且つ、樹木を焼却処理する方法に比べて、例えば二酸化炭素（ＣＯ２）や煙等の放出量及び発生量が大幅に削減され、自然環境を保全し、緑化に寄与することができる。
【００１１】
【実施例】
この発明の一実施例を以下図面に基づいて詳述する。
図面は、樹木の略全体を有効利用するときに用いられる樹木処理システムを示し、図１に於いて、この樹木処理システム１は、生育場所（例えば街路や公園、山林、庭園等）から回収される樹木Ａを、利用目的に適した部位（例えば葉部Ａａや枝部Ａｂ、幹部Ａｃ等）に仕分けする樹木仕分け工程２と、樹木Ａの枝部Ａｂ及び幹部Ａｃからチップ３ａを製造するチップ製造工程３と、樹木仕分け工程２で仕分けられる葉部Ａａ及びチップ製造工程３で製造されるチップ３ａから堆肥４ａを製造する堆肥製造工程４と、樹木Ａの幹部Ａｃから炭化物５ａを製造する炭化物製造工程５と、炭化物製造工程５で発生する雰囲気から木酢液６ａを製造する木酢液製造工程６と、製造工程３，４，５，６で製造されたチップ３ａ及び堆肥４ａ、炭化物５ａ、木酢液６ａの何れか一つ又は複数を組み合せて販売する製造物販売工程７と、堆肥４ａ及び炭化物５ａ、木酢液６ａの何れか一つ又は複数を組み合せて利用する製造物利用工程８とで構成される。
【００１２】
上述の樹木仕分け工程２は、生育場所から回収される樹木Ａの葉部Ａａ及び枝部Ａｂ、幹部Ａｃを作業者の目で目視判定して、手作業により葉部Ａａ及び枝部Ａｂ、幹部Ａｃに分離及び選別する等して仕分け処理し、後述するチップ製造工程３及び堆肥製造工程４、炭化物製造工程５に、例えばコンベア等の搬送手段で搬送及び供給する。また、樹木Ａの一部及び全体を、光学的撮像手段（例えば撮像カメラやディジタルカメラ、ビデオカメラ等）で撮像し、その撮像した画像情報に基づいて判定手段で判定した樹木Ａの葉部Ａａや枝部Ａｂ、幹部Ａｃを、例えばチャックやアーム、吸着子等の保持手段で保持して機械的に分離及び仕分け処理して、製造工程３，４，５に供給することもできる。
【００１３】
前述のチップ製造工程３は、上述の樹木仕分け工程２から供給される枝部Ａｂを粉砕機で粉砕及び破砕機で破砕する等して、例えば堆肥及びマルチング、舗装材、装飾材、バイオマス燃料等の用途及び目的に応じたサイズのチップ３ａを製造すると共に、後述する堆肥製造工程４及び製造物販売工程７、製造物利用工程８に供給する。
【００１４】
前述の堆肥製造工程４は、前述の樹木仕分け工程２から供給される葉部Ａａ及びチップ製造工程３から供給されるチップ３ａを、例えば微生物で分解及び自然に腐敗させるか、化学的に処理する等して堆肥化させ、植物を栽培するのに適した状態の堆肥４ａ（例えばバーク堆肥）を製造すると共に、後述する製造物販売工程７及び製造物利用工程８に供給する。
【００１５】
前述の炭化物製造工程５は、前述の樹木仕分け工程２から供給される幹部Ａｃを炭化炉（例えば炭焼き釜）に所定量収容し、その樹木Ａの幹部Ａｃを、例えばヒーターやバーナー等の加熱手段により所定時間（例えば略１２０時間）、所定温度に加熱処理するか、熱風発生手段から供給される高温の熱風で加熱乾燥する等して、例えば二酸化炭素（ＣＯ２）や煙等の放出量及び発生量を大幅に削減しながら、所定の水分含有量に炭化処理された炭化物５ａを製造する。且つ、その製造された炭化物５ａを、後述する木酢液製造工程６及び製造物販売工程７、製造物利用工程８に供給する。また、炭化炉の代わりに、例えばロータリーキルン乾燥機や直接加熱式回転乾燥機等の乾燥手段で乾燥することもできる。
【００１６】
前述の木酢液製造工程６は、上述の炭化炉内部に発生及び外部に排出される木の成分が含まれる雰囲気を蒸留再生手段で蒸留再生及び濾過手段で濾過処理して、例えば防虫や防菌、消臭、腐敗防止等に適した木酢液６ａを製造すると共に、その製造された木酢液６ａを、後述する製造物販売工程７及び製造物利用工程８に供給する。
【００１７】
前述の製造物販売工程７は、前述のチップ３ａ及び堆肥４ａ、炭化物５ａ、木酢液６ａの何れか一つ又は複数を組み合せた混合物（例えば木酢液６ａが添加された堆肥４ａを含む）を、例えば個人や農家、園芸家、植木職、農協、団体、田畑、催し会場、市場等で販売及び使用する。且つ、堆肥４ａ及び炭化物５ａ、木酢液６ａ等の何れか一つ又は複数を、樹木Ａや花等の植物と組み合せて販売するか、使用量や散布方法、時期、用途等の使用方法及び製造物に関する情報を、インターネット及び携帯電話等の通信手段を介して提供することもできる。
【００１８】
前述の製造物利用工程８は、前述のチップ３ａ及び堆肥４ａ、炭化物５ａ、木酢液６ａの何れか一つ又は複数を組み合せた混合物を、例えば都市緑化材の育成、昆虫の養殖、移植木の養生、水質浄化、土壌改良、堆肥等の様々な用途に利用する。且つ、チップ３ａは、バイオマス燃料として利用する方法の他に、例えば水性樹脂（ウレタン）及びチップ３ａを略３：７の割合で混合すれば、表面のみが硬化して、適度な弾性及び柔軟性を持った状態に固まるため、例えばマルチングや舗装材等の様々な用途及び目的に利用することができる。なお、着色料を混合すれば、所望する色にカラーリングすることもできる。且つ、上述の混合比を要望に応じて変更してもよい。また、木酢液６ａを、チップ３ａ及び堆肥４ａ、炭化物５ａに所定量添加してもよく、例えば防虫や防菌、消臭、腐敗防止等の効果が得られる。
【００１９】
図示実施例は上記の如く構成するものにして、以下、樹木処理システム１による樹木Ａの処理方法を説明する。
【００２０】
先ず、樹木仕分け工程２において、生育場所から回収される樹木Ａを、例えば葉部Ａａや枝部Ａｂ、幹部Ａｃ等の利用及び目的に応じた部分に分離及び分類して、チップ製造工程３及び堆肥製造工程４、炭化物製造工程５に仕分け供給する。
【００２１】
次に、チップ製造工程３において、上述の樹木仕分け工程２から供給される枝部Ａｂを粉砕及び破砕する等して、用途及び目的に応じたサイズのチップ３ａを製造すると共に、そのチップ３ａを、堆肥製造工程４及び製造物販売工程７、製造物利用工程８に供給する。
【００２２】
次に、堆肥製造工程４において、前述の樹木仕分け工程２から供給される葉部Ａａ及びチップ製造工程３から供給されるチップ３ａを、分解及び腐敗、化学的に処理する等して堆肥化させ、植物を栽培するのに適した堆肥４ａを製造すると共に、その堆肥４ａを、製造物販売工程７及び製造物利用工程８に供給する。
【００２３】
次に、炭化物製造工程５において、前述の樹木仕分け工程２から供給される幹部Ａｃを炭化炉で所定温度に加熱処理して、所定の水分含有量に炭化処理された炭化物５ａを製造すると共に、その炭化物５ａを、木酢液製造工程６及び製造物販売工程７、製造物利用工程８に供給する。
【００２４】
次に、木酢液製造工程６において、上述の炭化炉から排出される雰囲気を蒸留再生及び濾過処理して、例えば防虫や消臭、殺菌等に効果を発揮する木酢液６ａを製造すると共に、その木酢液６ａを、製造物販売工程７及び製造物利用工程８に供給する。
【００２５】
次に、製造物販売工程７において、製造工程３，４，５，６から供給されるチップ３ａ及び堆肥４ａ、炭化物５ａ、木酢液６ａの何れか一つ又は複数を組み合せた混合物を販売する。且つ、チップ３ａ及び堆肥４ａ、炭化物５ａ、木酢液６ａ等の何れか一つ又は複数を、樹木Ａや花等の植物と組み合せて販売するか、その使用方法及び製造物に関する情報を、インターネット及び携帯電話等の通信手段を介して提供する。
【００２６】
次に、製造物利用工程８は、製造工程３，４，５，６から供給されるチップ３ａ及び堆肥４ａ、炭化物５ａ、木酢液６ａの何れか一つ又は複数を組み合せた混合物（例えば木酢液６ａを、チップ３ａ及び堆肥４ａ、炭化物５ａの何れか一つ又は複数に添加したもの）を、例えば都市緑化材の育成、昆虫の養殖、移植木の養生、水質浄化、土壌改良、堆肥等の様々な用途に利用することができる。
【００２７】
且つ、チップ３ａは、バイオマス燃料として利用する方法の他に、水性樹脂と組み合せて適度な弾性を有するマルチング及び舗装材としても利用することができる。且つ、炭化物５ａは、土壌改良剤として利用する方法の他に、例えばビオトープ池や沈砂池等の水質浄化及び水質維持に利用することができる。
【００２８】
以上のように、樹木Ａを葉部Ａａ及び枝部Ａｂ、幹部Ａｃに仕分け処理して、チップ３ａ及び堆肥４ａ、炭化物５ａ、木酢液６ａを製造するので、樹木Ａの略全体を、例えば水質・土壌の改良、栽培等の様々な用途及び目的に無駄なく有効利用することができると共に、廃棄物が発生しないため、焼却施設及び廃棄場所を確保する必要がなく、廃棄コストの削減を図ることができる。且つ、樹木Ａを焼却処理する方法に比べて、例えば二酸化炭素（ＣＯ２）や煙等の放出量及び発生量が大幅に削減され、自然環境を保全し、緑化に寄与することができる。
【００２９】
且つ、木酢液６ａを、マルチング及び舗装材に用いられるチップ３ａに添加又は含浸することもでき、例えば防虫や防菌、消臭、腐敗防止等の効果が得られるだけでなく、腐敗しにくく、対候性及び耐久性が向上する。
【００３０】
図２は、再生可能樹木Ａを育成及び再生し、再生不可樹木Ａを加工する樹木処理システム１０の他の処理方法を示し、この樹木処理システム１０は、樹木Ａを一時的に預かり育成及び再生する樹木生育工程１０ａと、樹木Ａを用途及び目的に応じた製造物に加工する樹木利用工程１０ｂとで構成される。
【００３１】
上述の樹木生育工程１０ａは、樹木Ａが再生可能及び再生不可であるかを診断する診断工程１１と、樹木Ａを掘り取るための掘り取り工程１２と、樹木Ａを一時的に預かる預かり工程１３と、樹木Ａを育成及び再生する育成工程１４と、樹木Ａを養生する養生工程１５と、樹木Ａを移植する再利用工程１６とで構成される。一方、樹木利用工程１０ｂは、上述の樹木処理システム１と略同一の構成であるので、その詳細な説明を省略する。
【００３２】
先ず、樹木生育工程１０ａは、例えば国や団体、組織、個人（民間）等の依頼者から樹木Ａの調査依頼を受けたとき、診断工程１１において、樹木Ａが再生可能及び再生不可であるか否かを作業者の目で目視判定するか、測定装置で機械的に判定する等して診断（判断）すると共に、その診断結果を依頼者に対して報告及びアドバイスする。
【００３３】
再生可能と診断された場合、掘り取り工程１２において、生育場所に植えられた樹木Ａを掘り取り及び掘り出して管理者が一旦預かり、所定の預かり場所（生育場所）に移動及び運搬して移植する。且つ、図３にも示すように、掘り出し工程１２及び養生工程１５の間において、識別情報（例えば識別ナンバー）を樹木Ａ毎に設定すると共に、その識別情報が記録された記録媒体Ｂ（例えば非接触記録装置や名札等）を樹木Ａ毎に付設する。
【００３４】
次に、預かり工程１３及び育成工程１４において、返却時期が到来及び依頼者から返却指令があるまで、樹木Ａを一時的に預かり及び育成管理し、良好な生育状態に育成及び維持して再生する。且つ、生育管理装置２０に接続された情報通信装置２１を、樹木Ａ毎に付設された記録媒体Ｂに対峙して、記録媒体Ｂに記録された識別情報を読取ると共に、例えば樹木Ａの種類や生育場所、生育方法、生育年数、預かり時期、返却時期等の樹木Ａに関する様々な情報を、記録媒体Ｂに記録された識別情報と対応させて生育管理装置２０に記憶する。或いは、樹木Ａに関する情報を、記録媒体Ｂに対して読取り可能に記録する。
【００３５】
次に、養生工程１５（管理）において、樹木Ａ毎に設定及びナンバーリングされた識別情報を、預かり書に記録して発行する。また、預かり書を、掘り出し工程１２及び養生工程１５の間において発行してもよい。
【００３６】
且つ、預かり情報及び識別情報に基づいて、樹木Ａ毎の返却時期を生育管理装置２０により随時計時し、生育管理装置２０が返却時期到来と判定及び依頼者から返却指令を受けた場合、返却時期到来を、例えば文字や音、音声等の報知手段により預かり者に対して報知する。
【００３７】
次に、再利用工程１６において、一時的に預かった樹木Ａを、記録媒体Ｂに記録又は生育管理装置２０に記憶された識別情報に基づいて、個人や団体等の依頼者に対して返却し、元の生育場所或いは企画や設計により定められた生育場所に移植することで、樹木Ａの預かり作業が完了する。以下、上述と同様にして、樹木Ａの移植作業を継続して行う。つまり、例えば宅地・建物の建設、道路整備、公共施設等の事業に伴い、最初の生育場所から取り除かれた再生可能な樹木Ａを預かり場所に一旦移植して生育管理し、予め定められた他の生育場所又は元の生育場所に再移植するので、都市や公共施設、道路、町、個人邸等の緑化に繰り返し再利用することができる。
【００３８】
一方、樹木利用工程１０ｂは、上述の診断工程１１において再生不可と診断された場合、集積工程１７において、生育場所から回収される枯死樹木Ａ及び剪定伐採木を一旦集積する。且つ、処理の証明書及び処理書を発行（産廃処理）する。
【００３９】
次に、集積された樹木Ａを、前述した樹木処理システム１の樹木仕分け工程２に供給すると共に、例えば葉部Ａａや枝部Ａｂ、幹部Ａｃ等の部分に分離及び選別してチップ製造工程３及び炭化物製造工程４に供給する。
【００４０】
次に、チップ製造工程３で製造されるチップ３ａを、堆肥製造工程４に供給して堆肥４ａを製造する。炭化物製造工程５に供給される幹部Ａｃを加熱処理して、所定の水分含有量に炭化処理された炭化物５ａを製造する。
【００４１】
次に、チップ製造工程３で製造されるチップ３ａ及び堆肥製造工程４で製造される堆肥４ａ、炭化物製造工程５で製造される炭化物５ａの何れか一つ又は複数を組み合せた複合物を、依頼者に返却及び購入者に販売するか、水質・土壌の改良等に利用するので、樹木Ａの略全体を様々な用途及び目的に無駄なく有効利用することができ、前述の実施例と略同等の作用及び効果を奏することができる。
【図面の簡単な説明】
【図１】樹木処理システムによる再生不可な樹木の処理方法を示す構成図。
【図２】樹木処理システムによる樹木の他の処理方法を示す構成図。
【図３】樹木に関する情報の読取り及び書込み方法を示す側面図。
【符号の説明】
Ａ…樹木
Ａａ…葉部
Ａｂ…枝部
Ａｃ…幹部
Ｂ…記録媒体
１…樹木処理システム
２…樹木仕分け工程
３…チップ製造工程
４…堆肥製造工程
５…炭化物製造工程
６…木酢液製造工程
１０…樹木処理システム
１０ａ…樹木生育工程
１０ｂ…樹木利用工程
１１…診断工程
１２…掘り取り工程
１３…預かり工程
１４…育成工程
１５…養生工程
１６…再利用工程
１７…集積工程
２０…生育管理装置
２１…情報通信装置
【図１】
2004203636.tif 000003
【図２】
2004203636.tif 000004
【図３】
2004203636.tif 000005